(57)【要約】【課題】  本発明は、木工用集じん機に関するものである。  本発明の目的は、再利用するペーパーフィルタの端部に設けた集じんした屑捨て用開口部の確実で容易な閉塞手段を提供することにある。【解決手段】  ペーパーフィルタ８の任意位置に取付け穴９を設け、一端１０を固着し開口した他端部１１付近をペーパーフィルタ８の長手方向１２と直交するよう断面角形の芯部材１３を配設し、該芯部材１３を包むように折り返し、ペーパーフィルタ８の外側からはさみ込む弾性を有した閉塞部材１４を着脱自在に設けることで達成される。【選択図】  図３
2005348838.tif 000002
【特許請求の範囲】
【請求項１】
モータと、該モータによって回転するファンと、該ファンを収納するファンケースと、該ファンケースの吐出口に着脱自在に係止できるダストバッグと、該ダストバッグ内に収納され、前記ファンケースの吐出口に連結可能な取付け穴を有し、屑を集じん可能な袋体のペーパーフィルタと、一端が前記ファンケースの吸込口に接続され、他端が手持ち形電動工具の屑排出口に接続可能なホースとを有した木工用集じん機において、
前記ペーパーフィルタの開口端部付近であって、前記取付け穴と開口端部との間に前記ペーパーフィルタの長手方向と直交する芯部材を配設し、前記芯部材を包むように折り返し、該折り返したペーパーフィルタの外側をはさみ込む弾性を有した閉塞部材を着脱自在に設けたことを特徴とする木工用集じん機。
【請求項２】
前記ペーパーフィルタの両端に前記開口及び前記芯部材を設け、前記両端に前記閉塞部材を着脱自在に設けたことを特徴とする請求項１記載の木工用集じん機。
【請求項３】
前記芯部材を前記ペーパーフィルタの開口付近に固着、あるいは係止させたことを特徴とする請求項１あるいは請求項２記載の木工用集じん機。
【請求項４】
モータ、該モータによって回転するファン、該ファンを収納するファンケース、該ファンケースの吐出口に着脱自在に係止できるダストバッグを有する木工用集じん機の前記ダストバッグ内に収納可能で、前記ファンケースの吐出口に連結可能な取付け穴を有し、屑を集じん可能な袋体のペーパーフィルタであって、
前記取付け穴と開口端部との間に前記ペーパーフィルタの長手方向と直交する芯部材を設けたことを特徴とするペーパーフィルタ。
【発明の詳細な説明】
【技術分野】
【０００１】
本発明は、ダストバッグ内に収納されるペーパーフィルタを有する木工用集じん機及びそのペーパーフィルタに関するものである。
【背景技術】
【０００２】
木工用集じん機のダストバッグ内に収納される従来のペーパーフィルタは例えば公知文献１に開示されたものがある。
【０００３】
公知文献１の図１〜図３に開示されたペーパーフィルタは、四角筒形状の袋体で、正面中央に集じん用の取付け穴が穿設され、後端に開口部が形成され、後端部が複数回に渡って折り重ねられた後に折り重ねた部分を板形状のクランパにより閉塞する構成をしている。
【０００４】
また、公知文献１の図４には、四角筒形状の袋体のほぼ中央に取付け穴を穿設し、両端に開口部を形成し、両端部を複数回に渡って折り重ねた後に折り重ねた部分を板形状のクランパにより閉塞する構成が開示されている。
【０００５】
【特許文献１】特開２００２−１３７１７６号公報
【発明の開示】
【発明が解決しようとする課題】
【０００６】
上記した従来のペーパーフィルターは、開口部端部を複数回に渡って折り重ねた後に、折り重ね部分を板形状のクランパにより閉塞する構成であるため、開口部端部の折り重ね回数が少ないと、閉塞を維持する維持力が激減し、折り重ね回数が多いとクランパが容易に外れてしまったり、無理にクランパを変形させるとクランパ自体の弾性変形限度を超えて使用不能となってしまうという問題があった。
【０００７】
ペーパーフィルタの機能はろ過と集じんの両方を行うものであり、屑の集じんを続け目詰まりを起こしろ過性能が低下した場合には、排気風の出口が塞がれた状態になり、ペーパーフィルタ内面全体に過大な圧力が加わるが、従来のペーパーフィルタではクランパが集じん機の使用中に外れ、集じんした屑が飛散してしまう場合があった。
【０００８】
なお、ペーパーフィルタの折り重ねを複数回行なう必要があるものであるが、使用者に適正な折り重ね回数を徹底することはできず、クランパが集じん機の使用中に外れ、集じんした屑が飛散してしまうものであった。
【０００９】
本発明の目的は、上記した従来技術の欠点をなくし、開口部を閉塞する閉塞部材が集じん機の使用中に外れ難く、作業性の良い木工用集じん機及びペーパーフィルタを提供することである。
【課題を解決するための手段】
【００１０】
上記目的は、ペーパーフィルタの開口端部付近であって、前記取付け穴と開口端部との間に前記ペーパーフィルタの長手方向と直交する芯部材を配設し、前記芯部材を包むように折り返し、該折り返したペーパーフィルタの外側をはさみ込む弾性を有した閉塞部材を着脱自在に設けることにより達成される。
【発明の効果】
【００１１】
本発明によれば、前記取付け穴と開口端部との間に前記ペーパーフィルタの長手方向と直交する芯部材を配設し、前記芯部材を包むように折り返し、該折り返したペーパーフィルタの外側をはさみ込む弾性を有した閉塞部材を着脱自在に設けた構成とすることによって、芯部材を包むように１度折り返し、該折り返したペーパーフィルタの外側を閉塞部材によって閉塞すれば、目詰まりによって過大な内部圧力が発生しても、閉塞部材が外れ難くなり、また、使用者が確実にかつ容易に閉塞部材をセットすることができるようになる。
【発明を実施するための最良の形態】
【００１２】
本発明の一実施形態を図１〜図５により説明する。
【００１３】
内蔵されたモータ１の回転軸にファン２を固着し、ファン２はファンケース３で覆い、該ファンケース３にそれぞれ吸込口４、吐出し口５を設ける。一端が吸込口４に係止され、他端は電動工具１５に接続されたホース６を設ける。吐出し口５には着脱自在に係止されたダストバッグ７を設け、前記ダストバッグ７に内蔵され、ファンケース３の吐出し口５に連結可能な取付け穴９を設け搬送された屑を集じんする袋体のペーパーフィルタ８を設ける。該ペーパーフィルタ８のほぼ中央には集じん用の取付け穴９を設け、一端１０を固着し開口した他端部１１付近にペーパーフィルタ８の長手方向１２と直交するよう断面角形の芯部材１３を配設する。芯部材１３の断面形状は丸形、三角形、多角形でも良い。
【００１４】
前記芯部材１３を包むようにペーパーフィルター８の開口端部を折り返し、該折り返したペーパーフィルタ８の外側をはさみ込むよう弾性を有したほぼ断面Ｃ字形の閉塞部材１４を着脱自在に設ける。
【００１５】
このような構成とすることによって、目詰まりによりペーパーフィルタ８に過大な内部圧力が発生しても、閉塞部材１４が弾性変形し、閉塞状態を維持するため、閉塞部材１４が外れてしまうことを抑制することができる。
【００１６】
なお、閉塞部材１４は弾性を有したほぼ断面Ｃ字形形状をしているため、ペーパーフィルタ８に過大な内部圧力が発生した場合には、弾性変形し、保持力が大きくなるよう設定する。
【００１７】
上記構成において、スイッチ１６をＯＮするとモータ１が回転し、回転軸に固着したファン２の回転により吸引力が発生して、電動工具１５から発生した屑がホース６、ファンケース３の吸込口４、吐出し口５を介して、ダストバッグ７に内蔵された袋体のペーパーフィルタ８内に集じんされる。ペーパーフィルタ８内面全体が屑により目詰まりをすると、排気風が抜けないため屑の集じんができなくなる。そのときはダストバッグ７内のペーパーフィルタ８をファンケース３の吐出し口５から取外し、ペーパーフィルタ８の閉塞部材１４を取外し他端部１１を開口させ内部の屑を廃棄する。再利用できるペーパーフィルタ８は断面角形の芯部材１３を包むように折り返し、ペーパーフィルタ８の外側をはさみ込むよう閉塞部材１４を再度取付け、ダストバッグ７に内蔵しファンケース３の吐出し口５に取付け、電動工具１５から発生する屑の集じんを行う。
【００１８】
上記したようにペーパーフィルタ８の長手方向１２と直交するよう断面丸形、あるいは角形の芯部材１３を配設し、前記芯部材１３を包むように１度折り返し、該折り返したペーパーフィルタ８の外側をはさみ込む弾性を有した閉塞部材１４を着脱自在に構成させ、目詰まりによるペーパーフィルタ８の過大な内部圧力に対して、閉塞部材１４を断面角形、あるいは丸形の芯部材１３の最大直径付近まで弾性変形したときの保持力が大きくなるようにしたため、使用者が確実にかつ容易に閉塞部材１４によるペーパーフィルタ８開口端部のセットができる。
【００１９】
なお、閉塞部材１４はペーパーフィルタ８に対して軸方向にスライドさせることで容易に着脱することができるものであるが、芯部材１３の存在によってペーパーフィルタ８の長手方向に対しては移動が規制されるものである。ダストバッグ７内では閉塞部材１４がペーパーフィルタ８に対して軸方向にスライドする力は発生し難く、作業中に閉塞部材１４がペーパーフィルタ８から外れてしまうことを抑制することができるものである。
【００２０】
なお、閉塞部材１４の軸方向両端部付近の開口部が中央に向うに従って徐々に開口が小さく形状とすることによって、ペーパーフィルタ８に対して軸方向にスライドさせセットする作業を容易に行うことができるようになる。
【００２１】
また前記他端部１１の開口部を一端１０の固着部にも開口部を設け、その両方にペーパーフィルタ８の長手方向１２と直交するよう断面丸形、あるいは角形の芯部材１３を配設し、前記芯部材１３を包むように折り返し、該折り返したペーパーフィルタ８の外側をはさみ込む弾性を有した閉塞部材１４をそれぞれに着脱自在に設ける構成でも、同様の効果を奏でることができる。
【００２２】
また前記開口した他端部１１付近をペーパーフィルタ８の長手方向１２と直交するよう断面丸形、あるいは角形の芯部材１３を任意位置に固着、あるいは係止させる構成でも、同様の効果を奏でることができる。
【００２３】
さらにペーパーフィルタ８に芯部材１３を追加するだけのため、安価に提供することができる等の効果を奏でることができる。
【図面の簡単な説明】
【００２４】
【図１】本発明になるペーパーフィルタの斜視図である。
【図２】本発明になるペーパーフィルタの他端を開口した状態図である。
【図３】本発明になる集じん機の一実施形態を示す、一部断面を含む側面図である。
【図４】本発明になる集じん機の一実施形態を示す、斜視図である。
【図５】従来技術になる集じん機の一実施形態を示す電動工具との接続した図である。
【符号の説明】
【００２５】
７はダストバッグ、８はペーパーフィルタ、９は取付け穴、１２は長手方向、１２は芯部材、１４は閉塞部材である。
【図１】
2005348838.tif 000003
【図２】
2005348838.tif 000004
【図３】
2005348838.tif 000005
【図４】
2005348838.tif 000006
【図５】
2005348838.tif 000007